(57)【特許請求の範囲】
【請求項１】
バッテリーポストからの距離が異なる第一側面及び第二側面を有するバッテリーの前記バッテリーポストに接続されるバッテリーターミナルと、該バッテリーターミナルに組み付けられる電流センサと、前記バッテリーポストを中心とする前記バッテリーターミナルの回り止めとして設けられる回り止め手段とを備え、前記バッテリーターミナルは、前記バッテリーポストを挿入するための環状部と、該環状部に連続する連続部分とを有する電流センサ付きバッテリーターミナルにおいて、
前記バッテリーターミナル又は前記電流センサは、ケーブル端末の端子が接続される端子接続用ボルトを有し、
前記連続部分は、前記端子接続用ボルトの位置に合わせて延在する経路を有し、
前記電流センサは、前記連続部分の前記経路に組み付けられて前記バッテリーの前記バッテリーポストが立設する面に載置されるセンサブロックを有し、
該センサブロックに、前記第一側面の側へ前記バッテリーターミナルを延在させた状態で前記第一側面に対し当接可能となり、前記第二側面の側へ前記バッテリーターミナルを延在させた状態では前記第二側面に対し当接可能となる前記回り止め手段を設ける
ことを特徴とする電流センサ付きバッテリーターミナル。
【請求項２】
請求項１に記載の電流センサ付きバッテリーターミナルにおいて、
前記回り止め手段としては、前記電流センサに形成される回り止め部及び装着部と、該装着部に着脱自在に装着される回り止め用装着部品とを含んで構成する
ことを特徴とする電流センサ付きバッテリーターミナル。
【請求項３】
請求項１に記載の電流センサ付きバッテリーターミナルにおいて、
前記回り止め手段としては、前記電流センサに形成される第一装着部及び第二装着部と、該第一装着部及び第二装着部のいずれにも着脱自在に装着される第一・第二兼用型の回り止め用装着部品とを含んで構成する
ことを特徴とする電流センサ付きバッテリーターミナル。
【請求項４】
請求項１に記載の電流センサ付きバッテリーターミナルにおいて、
前記回り止め手段としては、前記電流センサに形成される装着部と、該装着部に着脱自在に装着される選択可能な第一回り止め用装着部品及び第二回り止め用装着部品とを含んで構成する
ことを特徴とする電流センサ付きバッテリーターミナル。
【発明の詳細な説明】
【技術分野】
【０００１】
本発明は、バッテリーターミナルに電流センサを組み付けてなる電流センサ付きバッテリーターミナルに関し、詳しくは、バッテリーポストからの距離が異なる第一側面及び第二側面を有するバッテリーのバッテリーポストにバッテリーターミナルが接続される電流センサ付きバッテリーターミナルに関する。
【背景技術】
【０００２】
近年、自動車の高機能化に伴い電装品が増加している。電装品の増加は、車載バッテリーの消耗を激しくするということが知られている。
【０００３】
従来、バッテリーのバッテリーポストに接続されるバッテリーターミナル、又はこのバッテリーターミナルに接続されるケーブル端末の端子には、電流センサが設けられている（例えば、下記特許文献１参照）。
【０００４】
バッテリーターミナルをバッテリーポストに接続するにあたっては、先ず、バッテリーターミナルを下方向に移動させて、バッテリーターミナルに形成されるバッテリーポスト挿入穴をバッテリーポストの周側面に接触させる。次に、バッテリーターミナルの向きを所定方向に合わせて配置する。続いて、バッテリーターミナルの横方向からインパクトレンチ等の工具を用いて締め付けボルト及びナットを締め付ける。これにより、バッテリーポスト挿入穴が縮径方向に縮み、そして、バッテリーポスト挿入穴がバッテリーポストの周側面に対して圧接状態となって、バッテリーターミナルの取り付けが完了する。
【先行技術文献】
【特許文献】
【０００５】
【特許文献１】特開２００６−４０７９６号公報
【発明の概要】
【発明が解決しようとする課題】
【０００６】
上記従来技術にあっては、バッテリーポストへの接続にあたり、バッテリーターミナルの向きを所定方向に合わせて配置するが、この後に、工具を用いての締め付け作業の際にバッテリーターミナルがバッテリーポストを中心に回り、向き（配置）が変わってしまうということがある（或いは、ケーブル端末の端子をバッテリーターミナルに接続する際にバッテリーターミナルが回り、向きが変わってしまうということがある）。従って、再度向きを合わせたりする作業が必要になることから、作業性に影響を来してしまうという問題点を有している。そこで、本願発明者は、回り止めを設けてバッテリーターミナルの回りを防止することを考えてみたが、単に回り止めを設けるだけでは対応しきれないということが分かった。
【０００７】
具体的に、バッテリーはバッテリーポストからの距離が異なる側面、すなわち第一側面及び第二側面を有しており、このようなバッテリーのバッテリーポストに対してバッテリーターミナルを接続しようとすると、仮にバッテリーターミナルの延在方向が第一側面の側へ向く場合の接続では、回り止めにてバッテリーターミナルの回りを防止することができるが、バッテリーターミナルの延在方向が第二側面の側へ向く場合の接続にあっては、第二側面との間があきすぎて対応することができないということが分かった。
【０００８】
本願発明者は、バッテリーポストへの接続作業におけるバッテリーターミナルの延在方向がバッテリーの種類に応じて異なることから、或いは車種やグレードなどにより異なることから、検討の余地があると考えている。
【０００９】
本発明は、上記した事情に鑑みてなされたもので、汎用性のある回り止めを有する電流センサ付きバッテリーターミナルを提供することを課題とする。
【課題を解決するための手段】
【００１０】
上記課題を解決するためになされた請求項１記載の本発明の電流センサ付きバッテリーターミナルは、バッテリーポストからの距離が異なる第一側面及び第二側面を有するバッテリーの前記バッテリーポストに接続されるバッテリーターミナルと、該バッテリーターミナルに組み付けられる電流センサと、前記バッテリーポストを中心とする前記バッテリーターミナルの回り止めとして設けられる回り止め手段とを備え、前記バッテリーターミナルは、前記バッテリーポストを挿入するための環状部と、該環状部に連続する連続部分とを有する電流センサ付きバッテリーターミナルにおいて、前記バッテリーターミナル又は前記電流センサは、ケーブル端末の端子が接続される端子接続用ボルトを有し、前記連続部分は、前記端子接続用ボルトの位置に合わせて延在する経路を有し、前記電流センサは、前記連続部分の前記経路に組み付けられて前記バッテリーの前記バッテリーポストが立設する面に載置されるセンサブロックを有し、該センサブロックに、前記第一側面の側へ前記バッテリーターミナルを延在させた状態で前記第一側面に対し当接可能となり、前記第二側面の側へ前記バッテリーターミナルを延在させた状態では前記第二側面に対し当接可能となる前記回り止め手段を設けることを特徴とする。
【００１１】
このような特徴を有する本発明によれば、回り止め手段は、バッテリーポストへの接続作業におけるバッテリーターミナルの延在方向がバッテリーの第一側面及び第二側面のいずれの側であっても当接可能となり、結果、バッテリーターミナルの回転が防止される。
【００１２】
請求項２記載の本発明の電流センサ付きバッテリーターミナルは、請求項１に記載の電流センサ付きバッテリーターミナルにおいて、前記回り止め手段としては、前記電流センサに形成される回り止め部及び装着部と、該装着部に着脱自在に装着される回り止め用装着部品とを含んで構成することを特徴とする。
【００１３】
このような特徴を有する本発明によれば、バッテリーターミナルの回転は、回り止め部又は回り止め用装着部品のいずれかの当接により防止される。本発明は、電流センサに一体化する回り止め部、又は、電流センサにおける装着部に装着される回り止め用装着部品を用いて回り止めを図る好適な一例である。
【００１４】
請求項３記載の本発明の電流センサ付きバッテリーターミナルは、請求項１に記載の電流センサ付きバッテリーターミナルにおいて、前記回り止め手段としては、前記電流センサに形成される第一装着部及び第二装着部と、該第一装着部及び第二装着部のいずれにも着脱自在に装着される第一・第二兼用型の回り止め用装着部品とを含んで構成することを特徴とする。
【００１５】
このような特徴を有する本発明によれば、バッテリーターミナルの回転は、回り止め用装着部品の当接により防止される。本発明は、電流センサにおける二箇所の装着部のうちの一つを選び、これに回り止め用装着部品を装着して回り止めを図る好適な一例である。
【００１６】
請求項４記載の本発明の電流センサ付きバッテリーターミナルは、請求項１に記載の電流センサ付きバッテリーターミナルにおいて、前記回り止め手段としては、前記電流センサに形成される装着部と、該装着部に着脱自在に装着される選択可能な第一回り止め用装着部品及び第二回り止め用装着部品とを含んで構成することを特徴とする。
【００１７】
このような特徴を有する本発明によれば、バッテリーターミナルの回転は、第一回り止め用装着部品又は第二回り止め用装着部品の当接により防止される。本発明は、第一回り止め用装着部品又は第二回り止め用装着部品を選び、この選んだものを電流センサに装着して回り止めを図る好適な一例である。
【発明の効果】
【００１８】
請求項１に記載された本発明によれば、汎用性のある回り止めを有する電流センサ付きバッテリーターミナルを提供することができるという効果を奏する。
【００１９】
また、請求項２〜４に記載されたそれぞれの本発明によれば、電流センサ付きバッテリーターミナルにおける好適な回り止め手段の一例を提供することができるという効果を奏する。
【図面の簡単な説明】
【００２０】
【図１】本発明の電流センサ付きバッテリーターミナルを示す図であり、（ａ）は電流センサ付きバッテリーターミナルの延在方向を第一側面の側とした場合の斜視図、（ｂ）は電流センサ付きバッテリーターミナルの延在方向を第二側面の側とした場合の斜視図である（実施例１）。
【図２】図１の電流センサ付きバッテリーターミナルの図であり、（ａ）は平面図、（ｂ）は正面図、（ｃ）は回り止め用装着部品の斜視図である。
【図３】図１の電流センサ付きバッテリーターミナルの左側面図である。
【図４】電流センサ付きバッテリーターミナルの延在方向を第一側面の側とした場合の接続に係る斜視図である。
【図５】電流センサ付きバッテリーターミナルの延在方向を第二側面の側とした場合の接続に係る斜視図である。
【図６】本発明の電流センサ付きバッテリーターミナルを示す図であり、（ａ）は電流センサ付きバッテリーターミナルの延在方向を第一側面の側とした場合の斜視図、（ｂ）は電流センサ付きバッテリーターミナルの延在方向を第二側面の側とした場合の斜視図である（実施例２）。
【図７】図６の電流センサ付きバッテリーターミナルの図であり、（ａ）は平面図、（ｂ）は正面図、（ｃ）は第一・第二兼用型の回り止め用装着部品の正面図である。
【図８】図６の電流センサ付きバッテリーターミナルの左側面図であり、（ａ）は延在方向を第一側面の側とした場合の左側面図、（ｂ）は延在方向を第二側面の側とした場合の左側面図である。
【図９】第一・第二兼用型の回り止め用装着部品の斜視図である。
【図１０】電流センサ付きバッテリーターミナルの延在方向を第一側面の側とした場合の接続に係る斜視図である。
【図１１】電流センサ付きバッテリーターミナルの延在方向を第二側面の側とした場合の接続に係る斜視図である。
【図１２】本発明の電流センサ付きバッテリーターミナルを示す図であり、（ａ）は電流センサ付きバッテリーターミナルの延在方向を第一側面の側とした場合の斜視図、（ｂ）は電流センサ付きバッテリーターミナルの延在方向を第二側面の側とした場合の斜視図である（実施例３）である。
【図１３】図１２（ａ）の電流センサ付きバッテリーターミナルの図であり、（ａ）は平面図、（ｂ）は正面図、（ｃ）は第一回り止め用装着部品の正面図である。
【図１４】図１２（ａ）の電流センサ付きバッテリーターミナルの図であり、（ａ）は延在方向を第一側面の側とした場合の左側面図、（ｂ）は第一回り止め用装着部品の斜視図である。
【図１５】図１２（ｂ）の電流センサ付きバッテリーターミナルの図であり、（ａ）は平面図、（ｂ）は正面図、（ｃ）は第二回り止め用装着部品の正面図である。
【図１６】図１２（ｂ）の電流センサ付きバッテリーターミナルの図であり、（ａ）は延在方向を第二側面の側とした場合の左側面図、（ｂ）は第二回り止め用装着部品の斜視図である。
【図１７】電流センサ付きバッテリーターミナルの延在方向を第一側面の側とした場合の接続に係る斜視図である。
【図１８】電流センサ付きバッテリーターミナルの延在方向を第二側面の側とした場合の接続に係る斜視図である。
【発明を実施するための形態】
【００２１】
電流センサ付きバッテリーターミナルは、バッテリーポストからの距離に応じた二つの回り止めを電流センサに設けてなる。
【実施例１】
【００２２】
以下、図面を参照しながら実施例１を説明する。図１（ａ）は本発明の電流センサ付きバッテリーターミナル１の延在方向を第一側面８の側とした場合の斜視図、図１（ｂ）は電流センサ付きバッテリーターミナル１の延在方向を第二側面９の側とした場合の斜視図である。
【００２３】
図１において、引用符号１は本発明の電流センサ付きバッテリーターミナルを示している。電流センサ付きバッテリーターミナル１は、特に限定するものでないが、自動車等の移動体に搭載されるバッテリー２のバッテリーポスト３に接続されるバッテリーターミナル４と、このバッテリーターミナル４に一体化する電流センサ５とを備えて構成されている。電流センサ付きバッテリーターミナル１は、例えばバッテリーポスト３への接続の際に回って向き（配置）が変わってしまうことのないような構造として回り止め手段６を有しており、この点が特徴になっている。先ず、上記の各部材について詳細に説明をする。
【００２４】
上記バッテリー２は、上面７、図示しない下面、及び複数の側面を有しており、上面７には上記バッテリーポスト３が突出するように設けられている。上面７は、バッテリーポスト立設面となっている。バッテリーポスト３は、先端の直径が基端の直径よりも小さいテーパ状の周側面を有する略円錐台形状に形成されている。本実施例においては、このような形状のバッテリーポスト３に対して接続固定が可能となるバッテリーターミナル４が用いられている。
【００２５】
ここで、上記複数の側面のうち、バッテリーポスト３から遠い（離れる）側となる側面を第一側面８、近い側となる側面を第二側面９と定義するものとする。また、バッテリーポスト３への接続に係り、電流センサ付きバッテリーターミナル１の延在方向を第一側面８の側とする場合と、延在方向を第二側面９の側とする場合の二つの接続があると定義するものとする（バッテリーの種類に応じて大きさが違うため距離が変わる。延在方向を変更する必要がある）。
【００２６】
図２（ａ）は電流センサ付きバッテリーターミナル１の平面図、図２（ｂ）は電流センサ付きバッテリーターミナル１の正面図、図２（ｃ）は回り止め手段６を構成する回り止め用装着部品２６の斜視図である。また、図３は電流センサ付きバッテリーターミナル１の左側面図である。
【００２７】
図２及び図３において、上記バッテリーターミナル４は、導電性を有する金属板をプレス加工することにより図示の形状に形成されている。本実施例においては、Ｓｎメッキが施されている。バッテリーターミナル４は、一対の環状部１０、１１と、一対の締め付け部１２、１２と、バスバー部１３とを有している。また、バッテリーターミナル４は、締め付けボルト１４と、この締め付けボルト１４に螺合するナット１５とを有している。
【００２８】
環状部１０、１１は、平板形状の基板（符号省略）を有している。この基板の略中央には、バッテリーポスト３（図１参照）を挿入するためのバッテリーポスト挿入穴１６が上下方向に貫通形成されている。バッテリーポスト挿入穴１６は、一対の締め付け部１２、１２の間となる部分が分断された状態に形成されている。引用符号１７はバッテリーポスト挿入穴１６の一部分断された部分を示している。
【００２９】
締め付け部１２、１２は、環状部１０、１１の各基板を所定の間隔をあけて上下に重なるようにこれらを連結する部分であって、Ｕ字状に湾曲させて形成されている。締め付け部１２、１２は、一部分断された部分１７に連通する締め付け間隙１８を有して並設されている。締め付け部１２、１２の内側には、ボルト挿通孔（符号省略）が形成されている。
【００３０】
締め付け部１２、１２の上記ボルト挿通孔には、締め付け間隙１８を横断し貫通するように締め付けボルト１４が挿入されている。締め付けボルト１４は、この軸部先端に螺合するナット１５と共働して、締め付け間隙１８の両側の締め付け部１２、１２を互いに近接する方向に締め付けることができるようなものになっている（締め付けが生じると、バッテリーポスト挿入穴１６が縮径する）。
【００３１】
バスバー部１３は、平板形状であって、一端が環状部１０に連続するように形成されている。バスバー部１３の他端は、後述する端子接続用ボルト２１に接触するように形成されている（及び／又は、端子接続用ボルト２１に接続される図示しないケーブル端末の端子に接触するように形成されている。この場合、バスバー部１３の他端は、端子接続部としての機能を有するように形成されている）。バスバー部１３の経路（平面視形状）は、端子接続用ボルト２１の位置に合わせて延在するように設定されている。本実施例においては、バッテリーポスト３（図１参照）から離れないような位置に端子接続用ボルト２１が配置されている（尚、後述するが、端子接続用ボルト２１は本実施例において電流センサ５の構成としている。しかしながら、これに限らずバッテリーターミナル４の構成に含めてもよいものとする）。
【００３２】
上記電流センサ５は、バッテリー２（図１参照）の残存容量を監視するためのものであって、本実施例においては、バッテリーターミナル４のバスバー部１３に対しインサート成形により一体に組み付けられている（電流センサを挿通するようにしてもよいものとする）。電流センサ５は、チップ型の電流検出回路部（図示省略）を内蔵するセンサブロック１９と、コネクタ部２０と、端子接続用ボルト２１とを有して図示の形状に形成されている。電流センサ５は、本実施例においてボルト一体型のものとなっている。端子接続用ボルト２１は、図示しないケーブル端末の端子を接続するための部分として設けられている。電流センサ５は、本実施例において、コア及びホール素子を備えないコアレスタイプのものが用いられている。
【００３３】
センサブロック１９は、インサート成形によりバスバー部１３を樹脂埋めするような状態に成形されている。センサブロック１９は、略矩形のブロック形状に形成されている（形状は一例であるものとする）。コネクタ部２０は、ハウジング２２と、このハウジング２２内に配設される複数の端子金具（図示省略）とを有している。
【００３４】
センサブロック１９における下面２３の一部は、バッテリー２の上面７（バッテリーポスト立設面。図１参照）に接触するような、言い換えれば載置されるような面として形成されている。下面２３は、バッテリーポスト立設面に接触することから、電流センサ付きバッテリーターミナル１のバッテリー２に対する接続状態や固定状態の安定に寄与するようになっている（接触させずに所定の間隔をあけるようにしてもよいものとする）。
【００３５】
図１ないし図３において、上記回り止め手段６は、電流センサ５に設けられている。回り止め手段６は、バッテリーポスト３を中心とするバッテリーターミナル４の回り止めとして設けられている。回り止め手段６は、第一側面８の側へ電流センサ付きバッテリーターミナル１を延在させた状態で第一側面８に対し当接可能となり、また、第二側面９の側へ電流センサ付きバッテリーターミナル１を延在させた状態で第二側面９に対し当接可能となるように構成されている。以下、具体的に説明をする。
【００３６】
本実施例における回り止め手段６は、樹脂製であって、回り止め部２４と、装着部２５と、二つの回り止め用装着部品２６とを含んで構成されている。回り止め部２４は、電流センサ５におけるセンサブロック１９の下面２３から下方へ突出するような略リブ状の形状に形成されている。回り止め部２４は、バッテリーポスト３から第一側面８までの距離に合わせて配置形成されている。回り止め部２４は、第一側面８に対して若干の隙間をあけて対向するように、また、バッテリーポスト３を中心とする回りが生じる場合にあっては第一側面８に当接するように形成されている。
【００３７】
装着部２５は、電流センサ５におけるセンサブロック１９の側面２７、２８にそれぞれ配置形成されている。装着部２５は、回り止め用装着部品２６を着脱自在に装着することができるように形成されている（図中の形状は一例であるものとする）。装着部２５は、バッテリーポスト３から第二側面９までの距離に合わせて配置形成されている。
【００３８】
回り止め用装着部品２６は、電流センサ５に対し別体となる部品であって、第二側面９の側へ電流センサ付きバッテリーターミナル１を延在させる場合に用いられるものとなっている。回り止め用装着部品２６は、本体２９と、係止部３０とを有して例えば図示の形状に形成されている（一例であるものとする）。回り止め用装着部品２６は、この本体２９が装着部２５に挿通（又は圧入）されるようになっており、係止部３０が装着部２５に引っ掛かり係止されるようになっている。回り止め用装着部品２６は、第二側面９に対して若干の隙間をあけて対向するように、また、バッテリーポスト３を中心とする回りが生じた場合にあっては第二側面９に当接するようになっている。
【００３９】
次に、上記構成及び構造に基づきながら、電流センサ付きバッテリーターミナル１のバッテリーポスト３への接続について説明をする。図４は電流センサ付きバッテリーターミナル１の延在方向を第一側面８の側とした場合の接続に係る斜視図、図５は電流センサ付きバッテリーターミナル１の延在方向を第二側面９の側とした場合の接続に係る斜視図である。尚、図１も参照するものとする。
【００４０】
バッテリーポスト３への接続は、先ず電流センサ付きバッテリーターミナル１を下方向に移動させてバッテリーポスト挿入穴１６をバッテリーポスト３の周側面に接触させる。次に、電流センサ付きバッテリーターミナル１の向きを所定方向に合わせて配置する。この時、回り止め手段６の存在により容易に配置をすることができるようになる。続いて、電流センサ付きバッテリーターミナル１の横方向からインパクトレンチ等の図示しない工具を用いてナット１５を締め付ける。これにより、バッテリーポスト挿入穴１６が縮径方向に縮み、バッテリーポスト挿入穴１６はバッテリーポスト３の周側面に対して圧接状態となる。以上により電流センサ付きバッテリーターミナル１の接続が完了する。電流センサ付きバッテリーターミナル１は、回り止め手段６の存在により、バッテリーポスト３を中心に回転してしまうことはない。
【００４１】
以上、図１ないし図５を参照しながら説明してきたように、汎用性のある回り止めを有する電流センサ付きバッテリーターミナル１を提供することができるという効果を奏する。
【実施例２】
【００４２】
以下、図面を参照しながら実施例２を説明する。図６（ａ）は本発明の電流センサ付きバッテリーターミナル１の延在方向を第一側面８の側とした場合の斜視図、図６（ｂ）は電流センサ付きバッテリーターミナル１の延在方向を第二側面９の側とした場合の斜視図である。尚、上記実施例１と同一の構成部材には同一の符号を付して詳細な説明を省略する。
【００４３】
図６において、電流センサ付きバッテリーターミナル１は、実施例１と同様、バッテリー２のバッテリーポスト３に接続されるバッテリーターミナル４と、このバッテリーターミナル４に一体化する電流センサ５とを備えて構成されている。電流センサ付きバッテリーターミナル１は、例えばバッテリーポスト３への接続の際に回って向き（配置）が変わってしまうことのないような構造として回り止め手段４１を有しており、この点が特徴になっている。先ず、上記の各部材について詳細に説明をする。
【００４４】
図７（ａ）は電流センサ付きバッテリーターミナル１の平面図、図７（ｂ）は電流センサ付きバッテリーターミナル１の正面図、図７（ｃ）は回り止め手段４１を構成する回り止め用装着部品４４の正面図である。また、図８（ａ）は電流センサ付きバッテリーターミナル１の延在方向を第一側面８の側とした場合の左側面図、図８（ｂ）は延在方向を第二側面９の側とした場合の左側面図である。さらに、図９は回り止め用装着部品４４の斜視図である。
【００４５】
図７及び図８において、上記バッテリーターミナル４は、一対の環状部１０、１１と、一対の締め付け部１２、１２と、バスバー部１３とを有している。また、バッテリーターミナル４は、締め付けボルト１４と、この締め付けボルト１４に螺合するナット１５とを有している。バッテリーターミナル４は、実施例１と同じになっている。
【００４６】
上記電流センサ５は、バッテリー２（図６参照）の残存容量を監視するためのものであって、本実施例においては、バッテリーターミナル４のバスバー部１３に対しインサート成形により一体に組み付けられている（電流センサを挿通するようにしてもよいものとする）。電流センサ５は、チップ型の電流検出回路部（図示省略）を内蔵するセンサブロック１９と、コネクタ部２０と、端子接続用ボルト２１とを有して図示の形状に形成されている。電流センサ５は、本実施例においてボルト一体型のものとなっている。電流センサ５は、回り止め手段４１以外の部分が実施例１と同じになっている。
【００４７】
図６ないし図９において、上記回り止め手段４１は、電流センサ５に設けられている。回り止め手段４１は、バッテリーポスト３を中心とするバッテリーターミナル４の回り止めとして設けられている。回り止め手段４１は、第一側面８の側へ電流センサ付きバッテリーターミナル１を延在させた状態で第一側面８に対し当接可能となり、また、第二側面９の側へ電流センサ付きバッテリーターミナル１を延在させた状態で第二側面９に対し当接可能となるように構成されている。以下、具体的に説明をする。
【００４８】
本実施例における回り止め手段４１は、樹脂製であって、第一装着部４２と、第二装着部４３と、第一・第二兼用型の回り止め用装着部品４４とを含んで構成されている。第一装着部４２及び第二装着部４３は、電流センサ５のセンサブロック１９に設けられており、第一装着部４２及び第二装着部４３には、センサブロック１９に対して別体となる回り止め用装着部品４４が着脱自在に装着されるようになっている。
【００４９】
第一装着部４２は、バッテリーポスト３から第一側面８までの距離に合わせて配置形成されている。また、第二装着部４３は、第二側面９までの距離に合わせて配置形成されている。第一装着部４２は、センサブロック１９の側面２７、２８にそれぞれ形成される側面装着部４５と、上下方向に貫通するようにセンサブロック１９に形成される穴状装着部４６とを有して構成されている（構成は一例であるものとする）。
【００５０】
側面装着部４５は、回り止め用装着部品４４を引っ掛けて係止することができるように形成されている。側面装着部４５は、略爪状となる突起形状に形成されている。側面装着部４５の両側には、ズレにより係止状態が解除されないようにするためのズレ止め部４７が形成されている。一方、穴状装着部４６には、貫通方向に真っ直ぐ延びるガイドレール４８が一対形成されている。
【００５１】
第二装着部４３も第一装着部４２と同じに、側面装着部４５と、穴状装着部４６とを有して構成されている（構成は一例であるものとする）。
【００５２】
回り止め用装着部品４４は、第一装着部４２及び第二装着部４３のいずれにも着脱自在に装着される第一・第二兼用型のものであって、アーム部４９と、支柱部５０と、回り止め部５１とを有して図示のような形状に形成されている。
【００５３】
アーム部４９は、センサブロック１９の下面２３を横断して先端が側面２７、２８の位置まで延びるように形成されている。アーム部４９の各先端には、側面装着部４５に引っ掛かり係止される弾性係止アーム５２が連成されている。弾性係止アーム５２は、略爪状となる係止突起５３を有している。支柱部５０は、穴状装着部４６に差し込まれ支持される略棒状の形状に形成されている。アーム部４９は、一対のガイドレール４８に案内されるガイド溝５４を一対有している。
【００５４】
回り止め部５１は、第一側面８又は第二側面９に対して若干の隙間をあけて対向するように、また、バッテリーポスト３を中心とする回りが生じた場合にあっては第一側面８又は第二側面９に当接するように形成されている。
【００５５】
次に、上記構成及び構造に基づきながら、電流センサ付きバッテリーターミナル１のバッテリーポスト３への接続について説明をする。図１０は電流センサ付きバッテリーターミナル１の延在方向を第一側面８の側とした場合の接続に係る斜視図、図１１は電流センサ付きバッテリーターミナル１の延在方向を第二側面９の側とした場合の接続に係る斜視図である。尚、図６も参照するものとする。電流センサ付きバッテリーターミナル１は、予め第一装着部４２又は第二装着部４３に回り止め用装着部品４４を装着した状態にあるものとする。
【００５６】
バッテリーポスト３への接続は、先ず電流センサ付きバッテリーターミナル１を下方向に移動させてバッテリーポスト挿入穴１６をバッテリーポスト３の周側面に接触させる。次に、電流センサ付きバッテリーターミナル１の向きを所定方向に合わせて配置する。この時、回り止め手段４１の存在により容易に配置をすることができるようになる。続いて、電流センサ付きバッテリーターミナル１の横方向からインパクトレンチ等の図示しない工具を用いてナット１５を締め付ける。これにより、バッテリーポスト挿入穴１６が縮径方向に縮み、バッテリーポスト挿入穴１６はバッテリーポスト３の周側面に対して圧接状態となる。以上により電流センサ付きバッテリーターミナル１の接続が完了する。電流センサ付きバッテリーターミナル１は、回り止め手段４１の存在により、具体的には第一装着部４２及び第二装着部４３のいずれかに回り止め用装着部品４４を装着することにより、バッテリーポスト３を中心に回転してしまうことはない。
【００５７】
以上、図６ないし図１１を参照しながら説明してきたように、汎用性のある回り止めを有する電流センサ付きバッテリーターミナル１を提供することができるという効果を奏する。
【実施例３】
【００５８】
以下、図面を参照しながら実施例２を説明する。図１２（ａ）は本発明の電流センサ付きバッテリーターミナル１の延在方向を第一側面８の側とした場合の斜視図、図１２（ｂ）は電流センサ付きバッテリーターミナル１の延在方向を第二側面９の側とした場合の斜視図である。尚、上記実施例１、２と同一の構成部材には同一の符号を付して詳細な説明を省略する。
【００５９】
図１２において、電流センサ付きバッテリーターミナル１は、実施例１、２と同様、バッテリー２のバッテリーポスト３に接続されるバッテリーターミナル４と、このバッテリーターミナル４に一体化する電流センサ５とを備えて構成されている。電流センサ付きバッテリーターミナル１は、例えばバッテリーポスト３への接続の際に回って向き（配置）が変わってしまうことのないような構造として回り止め手段６１を有しており、この点が特徴になっている。先ず、上記の各部材について詳細に説明をする。
【００６０】
図１３（ａ）は電流センサ付きバッテリーターミナル１の平面図、図１３（ｂ）は電流センサ付きバッテリーターミナル１の正面図、図１３（ｃ）は回り止め手段６１を構成する第一回り止め用装着部品６３の正面図である。また、図１４（ａ）は電流センサ付きバッテリーターミナル１の延在方向を第一側面８の側とした場合の左側面図、図１４（ｂ）は第一回り止め用装着部品６３の斜視図である。また、図１５（ａ）は電流センサ付きバッテリーターミナル１の平面図、図１５（ｂ）は電流センサ付きバッテリーターミナル１の正面図、図１５（ｃ）は回り止め手段６１を構成する第二回り止め用装着部品６４の正面図である。また、図１６（ａ）は電流センサ付きバッテリーターミナル１の延在方向を第二側面９の側とした場合の左側面図、図１６（ｂ）は第二回り止め用装着部品６４の斜視図である。
【００６１】
図１３ないし図１６において、上記バッテリーターミナル４は、一対の環状部１０、１１と、一対の締め付け部１２、１２と、バスバー部１３とを有している。また、バッテリーターミナル４は、締め付けボルト１４と、この締め付けボルト１４に螺合するナット１５とを有している。バッテリーターミナル４は、実施例１、２と同じになっている。
【００６２】
上記電流センサ５は、バッテリー２（図１２参照）の残存容量を監視するためのものであって、本実施例においては、バッテリーターミナル４のバスバー部１３に対しインサート成形により一体に組み付けられている（電流センサを挿通するようにしてもよいものとする）。電流センサ５は、チップ型の電流検出回路部（図示省略）を内蔵するセンサブロック１９と、コネクタ部２０と、端子接続用ボルト２１とを有して図示の形状に形成されている。電流センサ５は、本実施例においてボルト一体型のものとなっている。電流センサ５は、回り止め手段６１以外の部分が実施例１、２と同じになっている。
【００６３】
図１２ないし図１６において、上記回り止め手段６１は、電流センサ５に設けられている。回り止め手段６１は、バッテリーポスト３を中心とするバッテリーターミナル４の回り止めとして設けられている。回り止め手段６１は、第一側面８の側へ電流センサ付きバッテリーターミナル１を延在させた状態で第一側面８に対し当接可能となり、また、第二側面９の側へ電流センサ付きバッテリーターミナル１を延在させた状態で第二側面９に対し当接可能となるように構成されている。以下、具体的に説明をする。
【００６４】
本実施例における回り止め手段６１は、樹脂製であって、電流センサ５のセンサブロック１９に設けられる装着部６２と、この装着部６２に着脱自在に装着される選択可能な第一回り止め用装着部品６３及び第二回り止め用装着部品６４とを含んで構成されている。
【００６５】
装着部６２は、バッテリーポスト３から第一側面８までの距離に合わせて配置形成されている。装着部６２は、センサブロック１９の側面２７、２８にそれぞれ形成される側面装着部４５と、上下方向に貫通するようにセンサブロック１９に形成される穴状装着部４６とを有して構成されている（構成は一例であるものとする）。側面装着部４５及び穴状装着部４６は、実施例２と同じに形成されている。
【００６６】
第一回り止め用装着部品６３は、実施例２の回り止め用装着部品４４（図９参照）と同じものであって、アーム部４９と、支柱部５０と、回り止め部５１とを有している。第一回り止め用装着部品６３は、回り止め部５１が第一側面８に対して若干の隙間をあけて対向するように、また、バッテリーポスト３を中心とする回りが生じた場合にあっては第一側面８に当接するように形成されている。
【００６７】
第二回り止め用装着部品６４は、第一回り止め用装着部品６３の回り止め部５１を変更したものと同じであって、アーム部４９と、支柱部５０と、回り止め部６５と、連結部６６とを有している。回り止め部６５は、所定の間隔をあけて一対設けられており、連結部６６を介してアーム部４９に連成されている。回り止め部６５は、バッテリーポスト３から第一側面８までの距離と第二側面９までの距離との差分だけ延びるような略棒状の形状に形成されている。回り止め部６５は、略棒状となる形状の端面が第二側面９に対して若干の隙間をあけて対向するように、また、バッテリーポスト３を中心とする回りが生じた場合にあっては第二側面９に当接するように形成されている。
【００６８】
次に、上記構成及び構造に基づきながら、電流センサ付きバッテリーターミナル１のバッテリーポスト３への接続について説明をする。図１７は電流センサ付きバッテリーターミナル１の延在方向を第一側面８の側とした場合の接続に係る斜視図、図１８は電流センサ付きバッテリーターミナル１の延在方向を第二側面９の側とした場合の接続に係る斜視図である。尚、図１２も参照するものとする。電流センサ付きバッテリーターミナル１は、予め第一回り止め用装着部品６３又は第二回り止め用装着部品６４を装着した状態にあるものとする。
【００６９】
バッテリーポスト３への接続は、先ず電流センサ付きバッテリーターミナル１を下方向に移動させてバッテリーポスト挿入穴１６をバッテリーポスト３の周側面に接触させる。次に、電流センサ付きバッテリーターミナル１の向きを所定方向に合わせて配置する。この時、回り止め手段６１の存在により容易に配置をすることができるようになる。続いて、電流センサ付きバッテリーターミナル１の横方向からインパクトレンチ等の図示しない工具を用いてナット１５を締め付ける。これにより、バッテリーポスト挿入穴１６が縮径方向に縮み、バッテリーポスト挿入穴１６はバッテリーポスト３の周側面に対して圧接状態となる。以上により電流センサ付きバッテリーターミナル１の接続が完了する。電流センサ付きバッテリーターミナル１は、回り止め手段６１の存在により、具体的には第一回り止め用装着部品６３又は第二回り止め用装着部品６４を装着部６２に装着することにより、バッテリーポスト３を中心に回転してしまうことはない。
【００７０】
以上、図１２ないし図１８を参照しながら説明してきたように、汎用性のある回り止めを有する電流センサ付きバッテリーターミナル１を提供することができるという効果を奏する。
【００７１】
この他、本発明は本発明の主旨を変えない範囲で種々変更実施可能なことは勿論である。
【符号の説明】
【００７２】
１…電流センサ付きバッテリーターミナル
２…バッテリー
３…バッテリーポスト
４…バッテリーターミナル
５…電流センサ
６…回り止め手段
７…上面
８…第一側面
９…第二側面
１０、１１…環状部
１２…締め付け部
１３…バスバー部
１４…締め付けボルト
１５…ナット
１６…バッテリーポスト挿入穴
１７…一部分断された部分
１８…締め付け間隙
１９…センサブロック
２０…コネクタ部
２１…端子接続用ボルト
２２…ハウジング
２３…下面
２４…回り止め部
２５…装着部
２６…回り止め用装着部品
２７、２８…側面
２９…本体
３０…係止部
４１…回り止め手段
４２…第一装着部
４３…第二装着部
４４…回り止め用装着部品
４５…側面装着部
４６…穴状装着部
４７…ズレ止め部
４８…ガイドレール
４９…アーム部
５０…支柱部
５１…回り止め部
５２…弾性係止アーム
５３…係止突起
５４…ガイド溝
６１…回り止め手段
６２…装着部
６３…第一回り止め用装着部品
６４…第二回り止め用装着部品
６５…回り止め部
６６…連結部
【図１】
0005551472.tif 000002
【図２】
0005551472.tif 000003
【図３】
0005551472.tif 000004
【図４】
0005551472.tif 000005
【図５】
0005551472.tif 000006
【図６】
0005551472.tif 000007
【図７】
0005551472.tif 000008
【図８】
0005551472.tif 000009
【図９】
0005551472.tif 000010
【図１０】
0005551472.tif 000011
【図１１】
0005551472.tif 000012
【図１２】
0005551472.tif 000013
【図１３】
0005551472.tif 000014
【図１４】
0005551472.tif 000015
【図１５】
0005551472.tif 000016
【図１６】
0005551472.tif 000017
【図１７】
0005551472.tif 000018
【図１８】
0005551472.tif 000019